(57)【特許請求の範囲】
【請求項１】
タイマ予約装置と、
前記タイマ予約装置によって予約された時刻に、記録媒体に対する情報の記録を行うタイマ記録手段とを備えた情報記録装置において、
前記タイマ予約装置は、
タイマ予約に必要な項目を入力する入力手段と、
前記入力手段による入力に基づいてタイマ予約を行うタイマ予約設定手段と、
放送プログラムを取得する放送プログラム取得手段と、
前記入力手段によってタイマ予約に必要な項目の録画開始時の日付と、録画開始時刻と、録画終了時刻と、チャンネルと、のいずれか１つが入力されたときに、前記放送プログラム取得手段によって取得された放送プログラムからその入力内容に合致する放送プログラムを抽出して表示部に表示させ、前記入力手段によってタイマ予約に必要な項目が追加入力されるに従って、前記放送プログラム取得手段によって取得された放送プログラムからそれまでの入力内容に合致する放送プログラムを抽出して前記表示部に表示させる制御手段と、
前記表示部に表示されている放送プログラム中の番組を選択するための選択手段と、
前記選択手段によって、前記表示部に表示されている放送プログラム中の番組の選択がなされると、選択された番組の予約を行う選択番組予約設定手段とを備えたことを特徴とする情報記録装置。
【請求項２】
タイマ予約に必要な項目を入力する入力手段と、
前記入力手段による入力に基づいてタイマ予約を行うタイマ予約設定手段とを備えたタイマ予約装置において、
放送プログラムを取得する放送プログラム取得手段と、
前記入力手段によってタイマ予約に必要な項目の録画開始時の日付と、録画開始時刻と、録画終了時刻と、チャンネルと、のいずれか１つが入力されたときに、前記放送プログラム取得手段によって取得された放送プログラムからその入力内容に合致する放送プログラムを抽出して表示部に表示させ、前記入力手段によってタイマ予約に必要な項目が追加入力されるに従って、前記放送プログラム取得手段によって取得された放送プログラムからそれまでの入力内容に合致する放送プログラムを抽出して前記表示部に表示させる制御手段とを備えたことを特徴とするタイマ予約装置。
【請求項３】
前記表示部に表示されている放送プログラム中の番組を選択するための選択手段と、
前記選択手段によって、前記表示部に表示されている放送プログラム中の番組の選択がなされると、選択された番組の予約を行う選択番組予約設定手段とを備えたことを特徴とする請求項２に記載のタイマ予約装置。
【請求項４】
請求項２又は３に記載のタイマ予約装置と、
前記タイマ予約装置によって予約された時刻に、記録媒体に対する情報の記録を行うタイマ記録手段とを備えたことを特徴とする情報記録装置。
【発明の詳細な説明】
【技術分野】
【０００１】
本発明は、タイマ予約装置及び情報記録装置に関する。
【背景技術】
【０００２】
ビデオカセットレコーダに代表される、テレビ番組の録画が可能な録画装置において、ユーザーが録画予約を行う代表的な方法としては、以下の３つが挙げられる。第１の方法は、日付、開始時刻、終了時刻、チャンネルなどを入力することによって録画予約を行うタイマ予約である。
【０００３】
第２の方法は、新聞やテレビ情報誌などに掲載されている、各番組に対応する日付、開始時刻、終了時刻、及びチャンネル情報を暗号化したＧコードを入力することによって録画予約を行うＧコード予約である。第３の方法は、ＥＰＧ（電子番組ガイド）と呼ばれる番組表をテレビ画面に表示させ、録画したい番組を選択することによって録画予約を行うＥＰＧ予約である。
【０００４】
このうちのタイマ予約は、ユーザーが録画したい番組の日付、開始時刻、終了時刻、及びチャンネルについて完璧に記憶している場合には、Ｇコードを調べて入力する手間を省ける、ＥＰＧを表示させて録画したい番組を探索する手間を省けるといった利点があり、上記３つの方法のうちで、最も便利であるといえる。
【０００５】
しかしながら、タイマ予約は、Ｇコード予約やＥＰＧ予約と比べてユーザーが設定する必要のある項目が多い。具体的には、日付、開始時刻、終了時刻、及びチャンネルの入力が必須である。そのため、タイマ予約は、番組名を確認しながら予約を行うＧコード予約やＥＰＧ予約と比べてミスが起きやすい。
【０００６】
特許文献１に記載の発明は、このような問題に対処するためのものであり、タイマ予約の際に、日付、開始時刻、終了時刻、チャンネル番号のうちの３つが入力されると、ＥＰＧを参照して対応する番組を推定し、推定された番組をタイマ予約画面に表示する機能を備えた情報処理装置に関するものである。
【０００７】
特許文献１に記載の発明によると、タイマ予約に必要な日付、開始時刻、終了時刻、チャンネル番号のうちの３つを入力するだけで、ユーザーの所望する番組を推定して表示するため、タイマ予約作業を簡略化することができ、また、ユーザーのタイマ予約操作のミスを防止することができる情報処理装置が提供される。
【特許文献１】特開２００５−０５１３２５号公報
【発明の開示】
【発明が解決しようとする課題】
【０００８】
特許文献１に記載の情報処理装置においては、タイマ予約を行う際に、日付、開始時刻、終了時刻、チャンネル番号のうちの３つが入力されて初めて、ＥＰＧを参照して対応する番組を推定し、推定された番組をタイマ予約画面に表示する。しかしながら、ユーザーが日付及び開始時刻は記憶しているが、終了時刻及びチャンネル番号は記憶していないというような状況はよく起こり得る。このような場合、終了時刻又はチャンネル番号を適当に入力することによって推定された番組をタイマ予約画面に表示させるか、あるいは新聞などの番組表を参照することによって終了時刻又はチャンネル番号を確認する作業が必要となり、利便性に問題があるといえる。
【０００９】
上記の問題点を鑑みて、本発明においては、ユーザーがタイマ予約に必要な情報のうちの一部しか記憶していない場合においても、容易に正確な予約ができるタイマ予約装置を提供することを目的とする。また、本発明の他の目的は、そのようなタイマ予約装置を用いた録画予約が可能な情報記録装置を提供することである。
【課題を解決するための手段】
【００１０】
本発明においては、タイマ予約装置と、前記タイマ予約装置によって予約された時刻に、記録媒体に対する情報の記録を行うタイマ記録手段とを備えた情報記録装置において、
前記タイマ予約装置は、タイマ予約に必要な項目を入力する入力手段と、前記入力手段による入力に基づいてタイマ予約を行うタイマ予約設定手段と、放送プログラムを取得する放送プログラム取得手段と、前記入力手段によってタイマ予約に必要な項目の録画開始時の日付と、録画開始時刻と、録画終了時刻と、チャンネルと、のいずれか１つが入力されたときに、前記放送プログラム取得手段によって取得された放送プログラムからその入力内容に合致する放送プログラムを抽出して表示部に表示させ、前記入力手段によってタイマ予約に必要な項目が追加入力されるに従って、前記放送プログラム取得手段によって取得された放送プログラムからそれまでの入力内容に合致する放送プログラムを抽出して前記表示部に表示させる制御手段と、前記表示部に表示されている放送プログラム中の番組を選択するための選択手段と、前記選択手段によって、前記表示部に表示されている放送プログラム中の番組の選択がなされると、選択された番組の予約を行う選択番組予約設定手段とを備えたことを特徴とする。
【００１１】
これによると、ユーザーがタイマ予約に必要な情報のうちの一部しか記憶していない場合においても、容易に正確な録画予約ができる情報記録装置が提供される。
【００１２】
本発明においては、タイマ予約に必要な項目を入力する入力手段と、前記入力手段による入力に基づいてタイマ予約を行うタイマ予約設定手段とを備えたタイマ予約装置において、放送プログラムを取得する放送プログラム取得手段と、前記入力手段によってタイマ予約に必要な項目の録画開始時の日付と、録画開始時刻と、録画終了時刻と、チャンネルと、のいずれか１つが入力されたときに、前記放送プログラム取得手段によって取得された放送プログラムからその入力内容に合致する放送プログラムを抽出して表示部に表示させる制御手段とを備えたことを特徴とする。
【００１３】
これによると、制御手段は、入力手段によって、タイマ予約に必要な項目（例えば、日付、開始時刻、終了時刻及びチャンネル）のうちの１つが入力されたとき、その入力内容に合致する放送プログラムを抽出して表示部に表示させる。したがって、例えば、ユーザーが、録画予約を行いたい番組の日付のみ記憶しているが、開始時刻、終了時刻及びチャンネル番号は記憶していないというような状況においても、日付を入力すると、その日付に合致する放送プログラムが表示されるので、その放送プログラムを見ながら残りの設定項目である開始時刻、終了時刻及びチャンネルを入力することができる。よって、ユーザーがタイマ予約に必要な項目のうちの１つしか記憶していない場合においても、容易に正確な予約ができるタイマ予約装置が提供される。なお、上記構成のタイマ予約装置は、情報記録装置における録画予約、テレビジョン装置における視聴予約において、特に有効である。なお、上記表示部は、タイマ予約装置に内蔵されていても構わないし、外部表示手段であっても構わない。
【００１４】
本発明においては、上記構成のタイマ予約装置において、前記制御手段は、前記入力手段によってタイマ予約に必要な項目が追加入力されるに従って、前記放送プログラム取得手段によって取得された放送プログラムからそれまでの入力内容に合致する放送プログラムを抽出して前記表示部に表示させることが望ましい。
【００１５】
これによると、制御手段は、入力手段によって、タイマ予約に必要な項目が追加入力されるに従って、それまでの入力内容に合致する放送プログラムを抽出して表示部に表示させる。したがって、例えば、ユーザーが、録画予約を行いたい番組の日付及び開始時刻は記憶しているが、終了時刻及びチャンネル番号は記憶していないというような状況においても、日付及び開始時刻を入力すると、その日付及び開始時刻に合致する放送プログラムが表示されるので、その放送プログラムを見ながら残りの設定項目である終了時刻及びチャンネルを入力することができる。よって、ユーザーがタイマ予約に必要な項目のうちの一部しか記憶していない場合においても、容易に正確な予約ができるタイマ予約装置が提供される。
【００１６】
本発明においては、上記構成のタイマ予約装置において、前記表示部に表示されている放送プログラム中の番組を選択するための選択手段と、前記選択手段によって、前記表示部に表示されている放送プログラム中の番組の選択がなされると、選択された番組の予約を行う選択番組予約設定手段とを備えることが望ましい。
【００１７】
これによると、選択番組予約設定手段は、表示部に表示されている放送プログラム中の番組の選択がなされると、選択された番組の予約を行う。したがって、例えば、ユーザーが、録画予約を行いたい番組の日付及び開始時刻は記憶しているが、終了時刻及びチャンネル番号は記憶していないというような状況においても、日付及び開始時刻を入力すると、その日付及び開始時刻に合致する放送プログラムが表示され、その放送プログラム内の録画予約を所望する番組を選択することによって、録画予約を行うことができる。そのため、ユーザーがタイマ予約に必要な項目のうちの一部しか記憶していない場合においても、容易に正確な予約ができるタイマ予約装置が提供される。
【００１８】
本発明においては、情報記録装置は、上記構成のタイマ予約装置と、前記タイマ予約装置によって予約された時刻に、記録媒体に対する情報の記録を行うタイマ記録手段とを備えたことを特徴とする。
【００１９】
これによると、上記構成のタイマ予約装置を用いて録画予約を行うことができる情報記録装置となる。したがって、ユーザーがタイマ予約に必要な情報のうちの一部しか記憶していない場合においても、容易に正確な録画予約ができる情報記録装置となる。なお、上記表示部は、情報記録装置に内蔵されていても構わないし、外部表示手段であっても構わない。
【発明の効果】
【００２０】
本発明によると、ユーザーがタイマ予約に必要な情報のうちの一部しか記憶していない場合においても、容易に正確な予約ができるタイマ予約装置が提供される。また、本発明によると、そのようなタイマ予約装置を用いた録画予約が可能な情報記録装置が提供される。
【発明を実施するための最良の形態】
【００２１】
本発明の実施形態について、図面を用いて説明すれば以下の通りである。
【００２２】
以下、ＤＶＤレコーダを例に説明する。図１は、本発明の実施形態に係るＤＶＤレコーダ１（情報記録装置）の構成を示すブロック図である。なお、図１は、本発明に必要な構成のみを示し、説明が不要なその他の構成は省略してある。ＤＶＤレコーダ１は、チューナー２と、ＭＰＥＧエンコーダ３と、ＤＶＤドライブ４と、ＭＰＥＧデコーダ５と、ＯＳＤ部６と、受光部７と、ＥＰＧ取得装置８（放送プログラム取得手段）と、予約メモリ９と、ＣＰＵ１０（タイマ予約設定手段、制御手段、選択番組予約設定手段）と、リモコン２０（入力手段、選択手段）とを備えている。
【００２３】
なお、リモコン２０は、ＤＶＤレコーダ本体と独立して持ち運び可能である。そして、チューナー２にはアンテナ３０が接続され、ＯＳＤ部６にはテレビジョン装置４０（表示部）が接続されている。また、ＤＶＤドライブ４には記録再生が行われる記録媒体として、ＤＶＤ５０（記録媒体）が載置されている。
【００２４】
本実施形態に係るＤＶＤレコーダ１を用いて、放送情報をＤＶＤ５０に記録する時の処理の流れは以下の通りである。まず、チューナー２によって、アンテナ３０より受信された放送信号から、所望のチャンネルの放送信号が選出される。次に、ＭＰＥＧエンコーダ３によってエンコード（圧縮）がなされ、ＤＶＤドライブ４によってＤＶＤ５０への記録が行われる。
【００２５】
また、本実施形態に係るＤＶＤレコーダ１を用いて、ＤＶＤ５０に記録された情報を再生する時の処理の流れは以下の通りである。まず、ＤＶＤドライブ４によって、ＤＶＤ５０に記録されたディジタル記録信号が読み取られ、このディジタル記録信号がＭＰＥＧデコーダ５に送出される。次に、ＭＰＥＧデコーダ５によって、ディジタル記録信号のデコード（伸長）がなされ、その出力信号がＯＳＤ部６を介してテレビジョン装置４０に送出される。そして、テレビジョン装置４０によって映像、音声などが出力される。
【００２６】
受光部７は、リモコン２０に備えられた複数の入力キーの入力によって行われる各種指令に対応した、リモコン２０からの赤外線信号を受光し、これを電気信号に変換してＣＰＵ１０に伝達する。
【００２７】
ＥＰＧ取得装置８は、放送電波に重畳して送出される文字信号を抽出して、放送プログラムとしてのＥＰＧデータを取得し、取得したＥＰＧデータを記憶する。ここで、ＥＰＧデータには、番組の番組名、放送日、番組開始時刻、番組終了時刻、予約コード、チャンネル、ジャンル等の情報が２週間分程度含まれている。
【００２８】
予約メモリ９は、その時点で設定されている録画予約に関する情報を格納するメモリである。
【００２９】
ＣＰＵ１０は、チューナー２と、ＭＰＥＧエンコーダ３と、ＤＶＤドライブ４と、ＭＰＥＧデコーダ５と、ＯＳＤ部６と、受光部７と、ＥＰＧ取得装置８と、予約メモリ９とに接続され、これらに対して制御指示信号を出力することで、各種動作を実行させている。
【００３０】
次に、本実施形態に係るＤＶＤレコーダ１によって、録画予約による録画が行われる際の動作について説明する。ＣＰＵ１０は、予約メモリ９に記憶されている録画予約に関する情報を監視し、録画開始時刻になると、チューナー２に、録画を行うチャンネルの放送信号を選出させる。そして、その放送信号が、ＭＰＥＧエンコーダ３によってエンコード（圧縮）され、得られた記録信号が、ＤＶＤドライブ４によって、ＤＶＤ５０へ記録される。そして、録画終了時刻になると、ＣＰＵ１０は、これらの動作を停止させる。
【００３１】
つまり、ＤＶＤドライブ４と、予約メモリ９と、ＣＰＵ１０とによって、後述するタイマ予約装置によって予約された時刻にＤＶＤ５０に情報を記録するタイマ記録手段が構成されることとなる。
【００３２】
次に、本実施形態に係るＤＶＤレコーダ１を用いて、タイマ予約録画の設定を行う際の動作について説明する。リモコン２０に備えられているタイマ予約録画ボタン（不図示）が押下されると、リモコン２０から、タイマ予約録画ボタンに対応した赤外線信号が受光部７に送られる。受光部７は、その赤外線信号を受信すると、その赤外線信号を電気信号に変換して、ＣＰＵ１０に伝達する。
【００３３】
すると、ＣＰＵ１０は、ＯＳＤ部６に、タイマ予約の設定画面を表示する旨の指令を行う。そして、ＯＳＤ部６は、タイマ予約の設定画面に関するＯＳＤ信号を作成し、テレビジョン装置４０にタイマ予約の設定画面を表示させる。このとき、テレビジョン装置４０の画面には、図２に示すようなタイマ予約の設定画面が表示される。この画面上部においては、タイマ予約設定部６０が配置されている。そして、タイマ予約設定部６０は、録画開始時の日付入力部６１、録画開始時刻入力部６２、録画終了時刻入力部６３、及びチャンネル入力部６４をそれぞれ備えている。
【００３４】
そして、この画面上において、ユーザーは、リモコン２０の操作を行い、録画開始時の日付、録画開始時刻、録画終了時刻、及びチャンネルを入力することでタイマ予約を行う。そして、それらの入力によって、先に作成されているＯＳＤ信号が逐次更新され、その結果、テレビジョン装置４０の表示画面が逐次更新される。また、タイマ予約が完了すると、ＣＰＵ１０の指令によって、そのタイマ予約の録画開始時の日付、録画開始時刻、録画終了時刻、及びチャンネルに関する情報が、予約メモリ９に記憶される。
【００３５】
ところで、近年においては、タイマ予約以外の便利な録画予約方法である、Ｇコード予約やＥＰＧ予約などが普及しつつある。Ｇコード予約は、新聞やテレビ情報誌などに掲載されている、各番組に対応する日付、開始時刻、終了時刻、及びチャンネル情報を暗号化したＧコードを入力することによって録画予約を行うものである。また、ＥＰＧ予約は、ＥＰＧ（電子番組ガイド）と呼ばれる番組表をテレビ画面に表示させ、録画したい番組を選択することによって録画予約を行うものである。
【００３６】
タイマ予約は、ユーザーが録画したい番組の日付、開始時刻、終了時刻、及びチャンネルについて完璧に記憶している場合には、Ｇコードを調べて入力する手間を省ける、ＥＰＧを表示させて録画したい番組を探索する手間を省けるといった利点があり、これらの録画予約方法と比べて便利であるといえる。
【００３７】
しかしながら、従来のＤＶＤレコーダにおいては、ユーザーが録画したい番組の日付、開始時刻、終了時刻、及びチャンネルについて完璧に記憶していない場合、タイマ予約を行うには、それらの情報を新聞やテレビ情報誌などで調べる必要があった。また、タイマ予約は、Ｇコード予約やＥＰＧ予約と比べてユーザーが設定する必要のある項目が多いため、入力ミスが起きやすいという問題点もある。
【００３８】
そのため、本実施形態に係るＤＶＤレコーダ１においては、タイマ予約の設定画面のタイマ予約設定部６０に、録画開始時の日付、録画開始時刻、録画終了時刻、チャンネルのうちの１つが入力されると、ＣＰＵ１０が、ＥＰＧ取得装置８に記憶されているＥＰＧデータを探索し、その入力に対応する番組表（放送プログラム）を、タイマ予約の設定画面に表示させることを特徴とする。
【００３９】
また、本実施形態に係るＤＶＤレコーダ１においては、タイマ予約の設定画面のタイマ予約設定部６０に、録画開始時の日付、録画開始時刻、録画終了時刻、チャンネルのうちの２つ目以降の入力がなされると、ＣＰＵ１０が、ＥＰＧ取得装置８に記憶されているＥＰＧデータを探索し、それまでの入力に対応する番組表（放送プログラム）を、タイマ予約の設定画面に表示させることを特徴とする。
【００４０】
例えば、ユーザーが、最初に、録画開始時の日付入力部６１に、１２月１２日と入力したとする。このとき、タイマ予約の設定画面は図３に示すようになる。すなわち、図３に示す画面においては、タイマ予約設定部６０の表示に加えて、番組表表示部７０に番組表が表示されている。
【００４１】
この番組表表示部７０に表示される番組表は、日付表示部７１、チャンネル軸７２、時間軸７３、時間軸スクロールボタン７４、７５を含んでいる。そして、時間軸スクロールボタン７４、７５を選択することにより、番組表表示部７０に表示される番組表の時間帯をスクロールすることができる。
【００４２】
なお、ここでは、タイマ予約設定部６０には、録画開始時の日付１２月１２日が入力されているのみである。そして、番組表表示部７０には、ある特定の時間帯（ここでは１４時台から１６時台まで）の番組表を表示し、時間軸スクロールボタン７４、７５によって番組表の時間帯をスクロールできるようにしている。しかしながら、番組表の中の字は非常に小さくなるが、１２月１２日の全ての番組を網羅した番組表を表示するようにしてもよい。
【００４３】
なお、録画開始時の日付のみが入力された場合に、最初に表示される番組表の時間帯としては、例えば、タイマ予約の設定を行っているそのときに対応する時間帯などが選ばれる。また、ここで、ユーザーが録画予約を所望する番組を番組表内に見つけ、その番組を選択すると、ＣＰＵ１０は、予約メモリ９にその番組に対応する録画予約情報を記憶させ、その番組の録画予約が完了する。
【００４４】
次に、ユーザーが、録画開始時刻入力部６２に１５：００と入力したとする。このとき、タイマ予約の設定画面は図４に示すようになる。すなわち、図４に示す画面においては、番組表表示部７０に表示される番組表の時間帯が、１５：００から、１５：００に開始されるもの又は１５：００に放送中の番組が終了する最も遅い時間（この例においては１６時台）までとなる。また、ここでも、ユーザーが録画予約を所望する番組を番組表内に見つけ、その番組を選択すると、ＣＰＵ１０は、予約メモリ９にその番組に対応する録画予約情報を記憶させ、その番組の録画予約が完了する。
【００４５】
次に、ユーザーが、録画終了時刻入力部６３に１６：００と入力したとする。このとき、タイマ予約の設定画面は図５に示すようになる。すなわち、図５に示す画面においては、番組表表示部７０に表示される番組表の時間帯が、１５：００から１６：００まで（１５時台のみ）となる。また、ここでも、ユーザーが録画予約を所望する番組を番組表内に見つけ、その番組を選択すると、ＣＰＵ１０は、予約メモリ９にその番組に対応する録画予約情報を記憶させ、その番組の録画予約が完了する。
【００４６】
次に、ユーザーが、チャンネル入力部６４に５ＣＨと入力したとする。このとき、タイマ予約の設定画面は図６に示すようになる。すなわち、図６に示す画面においては、番組表表示部７０に表示される番組表が、１５：００から１６：００まで（１５時台のみ）かつ５ＣＨの部分のみ（すなわちここではサッカーのみ）となる。
【００４７】
以上の構成より、受光部７と、ＥＰＧ取得装置８と、予約メモリ９と、ＣＰＵ１０と、リモコン２０とによって、タイマ予約を行うタイマ予約装置が構成されることとなる。
【００４８】
以上のような構成とすると、ＤＶＤレコーダ１においては、タイマ予約の設定画面のタイマ予約設定部６０に、録画開始時の日付、録画開始時刻、録画終了時刻、チャンネルのうちの１つが入力されると、ＣＰＵ１０が、ＥＰＧ取得装置８に記憶されているＥＰＧデータを探索し、その入力に対応する番組表を、タイマ予約の設定画面に表示させることとなる。
【００４９】
また、ＤＶＤレコーダ１においては、タイマ予約の設定画面のタイマ予約設定部６０に、録画開始時の日付、録画開始時刻、録画終了時刻、チャンネルのうちの２つ目以降の入力がなされると、ＣＰＵ１０が、ＥＰＧ取得装置８に記憶されているＥＰＧデータを探索し、それまでの入力に対応する番組表を、タイマ予約の設定画面に表示させることとなる。
【００５０】
そのため、例えば、ユーザーが、録画したい番組の日付及び開始時刻は記憶しているが、終了時刻及びチャンネル番号は記憶していないというような状況においても、日付及び開始時刻を入力すると、その日付及び開始時刻に合致する番組表が設定画面に表示されるので、その番組表を見ながら残りの設定項目である終了時刻及びチャンネルを入力することができる。したがって、ユーザーがタイマ予約に必要な情報のうちの一部しか記憶していない場合においても、容易に正確な予約ができるタイマ予約装置が提供される。
【００５１】
また、本実施形態に係るＤＶＤレコーダ１においては、録画予約を所望する番組が、番組表表示部７０に表示される番組表内に見つかった場合には、その番組を選択することで、その番組の録画予約が完了する。したがって、ユーザーが日付及び開始時刻は記憶しているが、終了時刻及びチャンネル番号は記憶していないというような状況においても、日付及び開始時刻を入力すると、その日付及び開始時刻に合致する番組表が設定画面に表示され、その番組表内の録画予約を所望する番組を選択することによって、録画予約を行うことができる。
【００５２】
そのため、ユーザーがタイマ予約に必要な情報のうちの一部を記憶していれば、Ｇコードを調べて入力したり、ＥＰＧを表示させて録画したい番組を探索したりする手間を省くことができ、便利であるといえる。
【００５３】
なお、本発明は上記の実施の形態に限定されず、本発明の趣旨を逸脱しない範囲で、種々の変更が可能である。例えば、上記実施形態においては、ＤＶＤレコーダについて説明したが、本発明の内容は、ビデオカセットレコーダやハードディスクレコーダなどの録画予約にも同様に適用できる。また、本発明の内容は、テレビジョン装置の視聴予約などにも同様に適用できる。
【産業上の利用可能性】
【００５４】
本発明は、タイマ予約装置及び情報記録装置として有効である。
【図面の簡単な説明】
【００５５】
【図１】本発明の実施形態に係るＤＶＤレコーダの構成を示すブロック図である。
【図２】本発明の実施形態に係るタイマ予約の設定画面を示す説明図である。
【図３】録画開始時の日付１２月１２日が入力されたときの、タイマ予約の設定画面を示す説明図である。
【図４】録画開始時の日付１２月１２日及び録画開始時刻１５：００が入力されたときの、タイマ予約の設定画面を示す説明図である。
【図５】録画開始時の日付１２月１２日、録画開始時刻１５：００、及び録画終了時刻１６：００が入力されたときの、タイマ予約の設定画面を示す説明図である。
【図６】録画開始時の日付１２月１２日、録画開始時刻１５：００、録画終了時刻１６：００、及びチャンネル５ＣＨが入力されたときの、タイマ予約の設定画面を示す説明図である。
【符号の説明】
【００５６】
１    ＤＶＤレコーダ（情報記録装置）
８    ＥＰＧ取得装置（放送プログラム取得手段）
１０    ＣＰＵ（タイマ予約設定手段、制御手段、選択番組予約設定手段）
２０    リモコン（入力手段、選択手段）
４０    テレビジョン装置（表示部）
５０    ＤＶＤ（記録媒体）
【図１】
0004802766.tif 000002
【図２】
0004802766.tif 000003
【図３】
0004802766.tif 000004
【図４】
0004802766.tif 000005
【図５】
0004802766.tif 000006
【図６】
0004802766.tif 000007